(57)【要約】【課題】  感度抑圧に起因した視聴品質劣化を防止する通信端末装置を実現する。【解決手段】  通信用送信機３２の後段に設けた方向性結合器２０により携帯電話部の送信信号を抽出し、それを検波器２１にて検波して送信出力レベルを検出する。放送信号の受信電界強度に応じて基準電圧源２３が発生する比較レベルと上記送信出力レベルとを大小比較する。送信出力レベルが比較レベルを超え、携帯電話部の送信出力がＴＶ受信機１３に感度抑圧を引き起こすレベルに達している場合にだけ、入力切換えスイッチ１０および出力切換えスイッチ１２を用いてテレビ受信アンテナＡＮＴ１とＴＶ受信機１３との間にフィルタ１１を介挿するように経路切換えを行う為、携帯電話部の送信出力による感度抑圧に起因する視聴品質劣化を防止できる。【選択図】  図１
2007060077.tif 000002
【特許請求の範囲】
【請求項１】
アンテナを含む受信経路を経て入力される放送信号を受信する放送受信手段と無線信号を送受信する通信手段とを備える通信端末装置において、
前記放送受信手段によって受信された放送信号を通過させる一方、前記通信手段によって送信される無線信号を減衰させるフィルタ手段と、
前記通信手段から送信される無線信号の送信電力が、前記放送受信手段に対し感度抑圧を引き起こすか否を判定する判定手段と、
前記判定手段により感度抑圧を引き起こすと判定された場合に、前記放送受信手段の受信経路に前記フィルタ手段を介挿させるフィルタ制御手段と
を具備することを特徴とする通信端末装置。
【請求項２】
前記判定手段は、
前記通信手段が送信する無線信号の送信電力を検出し、当該送信電力を表す送信出力レベルを発生する送信電力検出手段と、
前記放送受信手段が受信する放送信号の受信電界強度を検出し、当該受信電界強度を表す比較レベルを発生する電界強度検出手段とを備え、
前記送信電力検出手段により生成される送信出力レベルが、前記電界強度検出手段により生成される比較レベルを超えた場合に、前記放送受信手段に感度抑圧を引き起こすと判定することを特徴とする請求項１記載の通信端末装置。
【請求項３】
前記フィルタ制御手段は、
前記放送受信手段の受信経路に設けられた第１および第２の経路切換え手段と、
前記判定手段により感度抑圧を引き起こすと判定された場合には、前記フィルタ手段を受信経路に介挿させる経路切換えを前記第１および第２の経路切換え手段に指示し、一方、前記判定手段により感度抑圧を引き起こすと判定されなかった場合には、前記フィルタ手段を受信経路からバイパスさせる経路切換えを前記第１および第２の経路切換え手段に指示する指示手段と
を具備することを特徴とする請求項１記載の通信端末装置。
【請求項４】
前記送信電力検出手段は、前記通信手段の送信経路に設けた方向性結合器にて無線信号を抽出し、抽出した無線信号を検波して送信電力を表す送信出力レベルを発生することを特徴とする請求項２記載の通信端末装置。
【請求項５】
前記送信電力検出手段は、前記放送受信手段の受信経路に設けた方向性結合器にて無線信号を抽出し、抽出した無線信号を検波して送信電力を表す送信出力レベルを発生することを特徴とする請求項２記載の通信端末装置。
【請求項６】
アンテナを含む受信経路を経て入力される放送信号を受信する放送受信部と無線信号を送受信する通信部とを備える電子機器の通信制御方法であって、
前記放送受信部にて受信された放送信号を通過させる一方、前記通信部にて送信される無線信号を減衰させるフィルタリングステップと、
前記通信部から送信される無線信号の送信電力が、前記放送受信部に対し感度抑圧を引き起こすか否を判定する判定ステップと、
前記判定ステップにて感度抑圧を引き起こすと判定された場合に、前記放送受信部の受信経路に前記フィルタステップを介挿させるフィルタ制御ステップと
からなることを特徴とする通信制御方法。
【請求項７】
コンピュータに、
通信部が送信する無線信号の送信電力を検出し、当該送信電力を表す送信出力レベルを発生する送信電力検出手段、
放送受信部が受信する放送信号の受信電界強度を検出し、当該受信電界強度を表す比較レベルを発生する電界強度検出手段、
前記送信電力検出手段によって生成される送信出力レベルが、前記電界強度検出手段で生成される比較レベルを超えた場合に、放送信号を通過させて無線信号を減衰させるフィルタを、前記放送受信部の受信経路に介挿させるフィルタ制御手段
として機能させることを特徴とする通信制御プログラム。
【発明の詳細な説明】
【技術分野】
【０００１】
本発明は、テレビ放送を受信する機能を備えた通信端末装置、通信制御方法および通信制御プログラムに関する。
【背景技術】
【０００２】
地上デジタルテレビ放送では、１チャンネル当り約６ＭＨｚの伝送帯域幅を１３のセグメント（ＯＦＤＭセグメント）に分割し、その中央の１セグメントに移動受信用に割当てており、近年、そのセグメントで放送される番組を受信する機能を搭載した携帯電話などの通信端末装置が開発されている。この種の装置として、例えば特許文献１には、番組視聴処理中に携帯電話部で着信が生じて通話を開始した場合、視聴中の番組の符号化映像・音声データをＳＤＲＡＭに録画する処理を開始し、通話が終了すると、録画処理を続けながら、ＳＤＲＡＭから通話開始時点の符号化映像・音声データを読み出して追いかけ再生するものが開示されている。
【０００３】
【特許文献１】特開２００３−１１１００４号公報
【発明の開示】
【発明が解決しようとする課題】
【０００４】
ところで、４７０ＭＨｚから７７０ＭＨｚの放送帯を使用する地上デジタルテレビ放送は、携帯電話の送信周波数に近接している。その為、携帯電話に搭載されたテレビ受信機が番組受信中に、携帯電話が基地局と交信するために無線送信すると、その送信出力によりテレビ受信機の感度を抑圧させてしまい、これにより受信感度が低下して視聴品質の劣化を招いてしまう。
【０００５】
そうした弊害を回避するには、携帯電話の送信電波を減衰させるフィルタをテレビ受信機側に設ければ良いが、上述したように地上デジタルテレビ放送帯域と携帯電話が使用する送信周波数とが近接していることから、とりわけ地上デジタルテレビ放送の周波数の高いチャンネルでは、フィルタ挿入損失により受信感度の低下を招く不都合が生じる。
【０００６】
本発明は、このような事情に鑑みてなされたもので、感度抑圧に起因した視聴品質劣化を防止することができる通信端末装置、通信制御方法および通信制御プログラムを提供することを目的とする。
【課題を解決するための手段】
【０００７】
上記目的を達成するため、請求項１に記載の発明では、アンテナを含む受信経路を経て入力される放送信号を受信する放送受信手段と無線信号を送受信する通信手段とを備える通信端末装置において、前記放送受信手段によって受信された放送信号を通過させる一方、前記通信手段によって送信される無線信号を減衰させるフィルタ手段と、前記通信手段から送信される無線信号の送信電力が、前記放送受信手段に対し感度抑圧を引き起こすか否を判定する判定手段と、前記判定手段により感度抑圧を引き起こすと判定された場合に、前記放送受信手段の受信経路に前記フィルタ手段を介挿させるフィルタ制御手段とを具備することを特徴とする。
【０００８】
上記請求項１に従属する請求項２に記載の発明では、前記判定手段は、前記通信手段が送信する無線信号の送信電力を検出し、当該送信電力を表す送信出力レベルを発生する送信電力検出手段と、前記放送受信手段が受信する放送信号の受信電界強度を検出し、当該受信電界強度を表す比較レベルを発生する電界強度検出手段とを備え、前記送信電力検出手段により生成される送信出力レベルが、前記電界強度検出手段により生成される比較レベルを超えた場合に、前記放送受信手段に感度抑圧を引き起こすと判定することを特徴とする。
【０００９】
上記請求項１に従属する請求項３に記載の発明では、前記フィルタ制御手段は、前記放送受信手段の受信経路に設けられた第１および第２の経路切換え手段と、前記判定手段により感度抑圧を引き起こすと判定された場合には、前記フィルタ手段を受信経路に介挿させる経路切換えを前記第１および第２の経路切換え手段に指示し、一方、前記判定手段により感度抑圧を引き起こすと判定されなかった場合には、前記フィルタ手段を受信経路からバイパスさせる経路切換えを前記第１および第２の経路切換え手段に指示する指示手段とを具備することを特徴とする。
【００１０】
上記請求項２に従属する請求項４に記載の発明では、前記送信電力検出手段は、前記通信手段の送信経路に設けた方向性結合器にて無線信号を抽出し、抽出した無線信号を検波して送信電力を表す送信出力レベルを発生することを特徴とする。
【００１１】
上記請求項２に従属する請求項５に記載の発明では、前記送信電力検出手段は、前記放送受信手段の受信経路に設けた方向性結合器にて無線信号を抽出し、抽出した無線信号を検波して送信電力を表す送信出力レベルを発生することを特徴とする。
【００１２】
請求項６に記載の発明では、アンテナを含む受信経路を経て入力される放送信号を受信する放送受信部と無線信号を送受信する通信部とを備える電子機器の通信制御方法であって、前記放送受信部にて受信された放送信号を通過させる一方、前記通信部にて送信される無線信号を減衰させるフィルタリングステップと、前記通信部から送信される無線信号の送信電力が、前記放送受信部に対し感度抑圧を引き起こすか否を判定する判定ステップと、前記判定ステップにて感度抑圧を引き起こすと判定された場合に、前記放送受信部の受信経路に前記フィルタステップを介挿させるフィルタ制御ステップとからなることを特徴とする。
【００１３】
請求項７に記載の発明では、コンピュータに、通信部が送信する無線信号の送信電力を検出し、当該送信電力を表す送信出力レベルを発生する送信電力検出手段、放送受信部が受信する放送信号の受信電界強度を検出し、当該受信電界強度を表す比較レベルを発生する電界強度検出手段、前記送信電力検出手段によって生成される送信出力レベルが、前記電界強度検出手段で生成される比較レベルを超えた場合に、放送信号を通過させて無線信号を減衰させるフィルタを、前記放送受信部の受信経路に介挿させるフィルタ制御手段として機能させることを特徴とする。
【発明の効果】
【００１４】
請求項１に記載の発明によれば、無線信号を送受信する通信手段から送信される無線信号の送信電力が、アンテナを含む受信経路を経て入力される放送信号を受信する放送受信手段に感度抑圧を引き起こすか否を判定し、感度抑圧を引き起こすと判定された場合に、放送信号を通過させて無線信号を減衰させるフィルタ手段を前記放送受信手段の受信経路に介挿させるので、感度抑圧に起因した視聴品質劣化を防止することができる。
【００１５】
請求項６に記載の発明によれば、フィルタリングステップが放送受信部にて受信された放送信号を通過させる一方、判定ステップが通信部にて送信される無線信号を減衰させ、前記通信部から送信される無線信号の送信電力が前記放送受信部に対し感度抑圧を引き起こすか否を判定し、感度抑圧を引き起こすと判定された場合に、フィルタ制御ステップが前記放送受信部の受信経路に前記フィルタステップを介挿させるので、感度抑圧に起因した視聴品質劣化を防止することができる。
【００１６】
請求項７に記載の発明によれば、通信部が送信する無線信号の送信電力を検出して当該送信電力を表す送信出力レベルと、放送受信部が受信する放送信号の受信電界強度を検出して当該受信電界強度を表す比較レベルとを発生し、送信出力レベルが比較レベルを超えた場合に、放送信号を通過させて無線信号を減衰させるフィルタを、放送受信部の受信経路に介挿させるようコンピュータに機能させるので、感度抑圧に起因した視聴品質劣化を防止することができる。
【発明を実施するための最良の形態】
【００１７】
以下、図面を参照して本発明の実施の形態について説明する。
Ａ．第１実施形態
（１）構成
図１は、本発明の第１実施形態による携帯電話１００の構成を示すブロック図である。この図に示す携帯電話１００は、テレビ受信部、フィルタ制御部および携帯電話部に大別される。以下、これら各部の構成について説明する。
【００１８】
＜テレビ受信部の構成＞
テレビ受信部は、受信アンテナＡＮＴ１、入力切換えスイッチ１０、フィルタ１１、出力切換えスイッチ１２、ＴＶ受信機１３、携帯電話部（後述する）側と共用される制御回路４０、信号処理回路５０、ディスプレイ６０、スピーカ６１、キーパッド６２から構成される。入力切換えスイッチ１０は、後述するフィルタ制御部の比較器２２が発生する切換え指示信号により、テレビ受信アンテナＡＮＴ１にて受信された放送信号をフィルタ１１に入力、あるいは出力切換えスイッチ１２に直接入力させるよう経路切換えする。
【００１９】
フィルタ１１は、地上デジタルテレビ放送帯域を通過させ、それ以上の周波数を減衰させるローパス特性を有する。図２にフィルタ１１の周波数特性の一例を図示する。この図に示すように、地上デジタルテレビ放送帯域（４７０ＭＨｚ〜７７０ＭＨｚ）は減衰なく通過させるが、それより高い周波数の、携帯電話の送信周波数帯域を減衰させる。具体的には、携帯電話の送信周波数帯域における減衰量は６０乃至７０ｄＢが必要になる。なお、本実施形態では、フィルタ１１をローパスフィルタとしたが、これに限らず、例えば携帯電話の送信周波数帯域にノッチ特性を有するバンドエリミネーション型のフィルタを用いるようにしても構わない。
【００２０】
出力切換えスイッチ１２は、後述するフィルタ制御部の比較器２２が発生する切換え指示信号により、フィルタ１１の出力、あるいは出力切換えスイッチ１１の出力のいずれかを選択するよう経路切換えする。ＴＶ受信機１３は、テレビ受信アンテナＡＮＴ１にて受信される放送信号の内、制御回路４０が選局指示するチャンネルの放送信号をＯＦＤＭ復調し、これより得られるトランスポートストリーム信号から番組パケット（ＭＰＥＧデータ）を分離抽出し、抽出した番組パケットを映像／音声データに復号して信号処理回路５０に出力する。また、ＴＶ受信機１３は、受信した放送信号の電界強度を測定して制御回路４０に出力する。具体的には、ＡＧＣ回路の出力を制御回路４０に供給する。
【００２１】
信号処理回路５０は、ＴＶ受信機１３から供給される映像／音声データをＡ／Ｄ変換し、これにて得られる映像信号をディスプレイ６０に画面表示すると共に、音声信号を増幅してスピーカ６１から再生する。また、信号処理回路５０は、キーパッド６２を用いたユーザの選局操作に応じた受信チャンネル番号を発生して制御回路４０に出力する。制御部４０は、信号処理回路５０から供給される受信チャンネル番号に対応した選局指示をＴＶ受信機１３に出力する。また、制御回路４０は、ＴＶ受信機１３から供給される放送信号の受信電界強度に応じた基準電圧制御信号を発生して、後述するフィルタ制御部の基準電圧源２３に出力する。
【００２２】
＜フィルタ制御部の構成＞
フィルタ制御部は、方向性結合器２０、検波器２１、比較器２２および基準電圧源２３から構成される。方向性結合器２０は、携帯電話部の通信用送信機３２（後述する）の後段に設けられ、当該通信用送信機３２の送信信号（進行波成分）を検出する。検波器２１は、方向性結合器２０の出力を検波して通信用送信機３２の送信電力に相当する出力レベル（電圧）を発生する。比較器２２は、検波器２１の出力レベルと、基準電圧源２３が発生する比較レベルとを大小比較し、検波器２１の出力レベルが比較レベルを超えた時に「Ｈ」レベルの切換え指示信号を発生し、検波器２１の出力レベルが比較レベルを超えなければ、「Ｌ」レベルの切換え指示信号を発生する。基準電圧源２３は、制御回路４０から供給される基準電圧制御信号に対応する電圧の比較レベルを発生する。すなわち、基準電圧源２３では、図３に図示するように、放送信号の受信電界強度に応じた基準電圧の比較レベルを出力する。
【００２３】
＜携帯電話部の構成＞
携帯電話部は、通信用送受信アンテナＡＮＴ２、デュプレクサ３０、通信用受信機３１、通信用送信機３２、制御回路４０、信号処理回路５０、マイク６３およびレシーバ６４から構成される。アンテナ共用器であるデュプレクサ３０は、図２に図示する周波数特性を有し、通信用送受信アンテナＡＮＴ２が受信する受信信号と通信用送信機３２から通信用送受信アンテナＡＮＴ２に供給される送信信号とを分離する。通信用受信機３１は、通信用送受信アンテナＡＮＴ２を介して受信した受信信号を、制御回路４０の指示に従って復調して得た音声データを信号処理回路５０に出力する。
【００２４】
通信用送信機３２は、信号処理回路５０から供給される音声データを、制御回路４０の指示に従って変調して得た送信信号を高周波増幅して通信用送受信アンテナＡＮＴ２に送出する。制御回路４０は、信号処理回路５０からの通信制御指示に応じて、通信用受信機３１に受信指示や通信用送信機３２に送信指示を与える。信号処理回路５０は、例えばベースバンド信号処理用のＤＳＰ等から構成され、キーパッド６２を用いたユーザ操作に対応した通信制御指示を発生して制御回路４０に出力したり、通信用受信機３１から供給される音声データを音声信号に変換してレシーバ６４に出力する他、マイク６３から入力される音声信号を音声データに変換して通信用送信機３２に出力する。
【００２５】
（２）動作
次に、上記構成による携帯電話１００におけるフィルタ制御部の動作を説明する。上述したように、テレビ受信部のフィルタ１１は、地上デジタルテレビ放送帯域を通過させ、携帯電話部の送信帯域を減衰させるローパス特性を有するが、放送帯域と送信帯域とが近接している為、図４に図示する通り、テレビ受信アンテナＡＮＴ１とＴＶ受信機１３との間にフィルタ１１を介挿させた状態では、当該フィルタ１１をバイパスさせた場合に比較してＴＶ受信機１３の受信感度低下を招く。
【００２６】
そこで、フィルタ制御部では、図５に図示するように、携帯電話部の送信電力に相当する検波器２１の出力レベルと、基準電圧源２３が発生する比較レベルとを大小比較し、検波器２１の出力レベルが比較レベルを超えた場合、すなわち携帯電話部の送信電力がＴＶ受信機１３に感度抑圧を引き起こすレベルに達している時に、比較器２２が「Ｈ」レベルの切換え指示信号を発生する。比較器２２が「Ｈ」レベルの切換え指示信号を発生すると、前述した入力切換えスイッチ１０および出力切換えスイッチ１２は、テレビ受信アンテナＡＮＴ１とＴＶ受信機１３との間にフィルタ１１を介挿するように経路切換えを行う。
【００２７】
一方、携帯電話部の送信出力がＴＶ受信機１３に感度抑圧を引き起こすレベルに達していなければ、比較器２２が「Ｌ」レベルの切換え指示信号を発生する。比較器２２が「Ｌ」レベルの切換え指示信号を発生すると、前述した入力切換えスイッチ１０および出力切換えスイッチ１２は、テレビ受信アンテナＡＮＴ１とＴＶ受信機１３との間のフィルタ１１をバイパスするように経路切換えを行う。
【００２８】
ところで、携帯電話の送信電力がＴＶ受信機１３に感度抑圧を引き起こすレベルであっても、ＴＶ受信機１３が受信する放送信号の電界強度が強ければ、その視聴品質は大きく劣化することはない。その為、フィルタ制御部では、放送信号の受信電界強度に応じて比較レベルを可変制御する。このようにすることで、携帯電話部の送信出力と放送信号の電界強度とを勘案し、フィルタ１１の介挿による受信感度低下よりも携帯電話部の送信電力による感度抑圧に起因した受信感度低下の方が顕著な場合にだけ、テレビ受信アンテナＡＮＴ１とＴＶ受信機１３との間にフィルタ１１を介挿するように経路切換えを行い、これにより感度抑圧に起因した視聴品質劣化を防止している。
【００２９】
なお、前述した入力切換えスイッチ１０および出力切換えスイッチ１２により経路切換えを行うと、その経路切換えがＴＶ受信機１３の受信動作に影響を与えるが、その影響は地上デジタルテレビ放送の受信復調処理として行われる時間インターリーブや畳み込み符号化によりエラー訂正可能な範囲に収まる為、視聴品質を劣化させることはない。
【００３０】
Ｂ．第２実施形態
次に、図６を参照して第２実施形態について説明する。図６は、第２実施形態の構成を示すブロック図である。図６において、図１に図示した第１実施形態と共通する構成要素には同一の番号を付し、その説明は省略する。図６に図示する第２実施形態が、図１に示した第１実施形態と相違する点は、方向性結合器２０を、受信アンテナＡＮＴ１と入力切換えスイッチ１０との間に設けた構成にしたことにある。
【００３１】
すなわち、受信アンテナＡＮＴ１の後段で携帯電話の送信電力を検出し、ＴＶ受信機１３に感度抑圧を引き起こすレベルに達していれば、比較器２２が「Ｈ」レベルの切換え指示信号を入力切換えスイッチ１０および出力切換えスイッチ１２に供給してテレビ受信アンテナＡＮＴ１とＴＶ受信機１３との間にフィルタ１１を介挿するように経路切換えを行う。こうして、他の携帯電話からの妨害波のレベルを直接的に検出してフィルタ制御を行うことで、例えば雑踏などでテレビ放送を受信している場合、他人の携帯電話からの電波で感度抑圧されて視聴品質が劣化する弊害を防ぐことが可能になる。
【００３２】
Ｃ．第３実施形態
次に、図７〜図８を参照して第３実施形態について説明する。図７は、第３実施形態の構成を示すブロック図である。図７において、図１に図示した第１実施形態と共通する構成要素には、同一の番号を付し、その説明は省略する。図７に図示する第３実施形態が、図１に示した第１実施形態と相違する点は、制御部４０が入力切換えスイッチ１０と出力切換えスイッチ１２との間にフィルタ１１を介挿するか否かを判定するフィルタ制御処理を行う点である。以下、図８を参照して制御部４０が実行するフィルタ制御処理の動作を説明する。
【００３３】
図８に図示するフィルタ制御処理は、例えば携帯電話１００がパワーオン状態に設定されている時に、所定周期毎に割込み実行される。割込み実行タイミングになると、図８に図示するステップＳ１に処理を進め、ＴＶ受信機１３がオン状態にあるか否かを判断する。ＴＶ受信機１３がオフ状態であれば、入力切換えスイッチ１０と出力切換えスイッチ１２との間にフィルタ１１を介挿するか否かを判定する必要がないので、判断結果は「ＮＯ」になり、本処理を完了させる。
【００３４】
一方、ＴＶ受信機１３がオフ状態であると、入力切換えスイッチ１０と出力切換えスイッチ１２との間にフィルタ１１を介挿するか否かを判定する必要がある為、判断結果が「ＹＥＳ」になり、ステップＳ２に進む。ステップＳ２では、ＴＶ受信機１３が受信している放送の受信電界強度を測定する。具体的には、ＴＶ受信機１３内部のＡＧＣ回路出力レベルを検出する。そして、ステップＳ３では、図３に図示した関係に基づき受信電界強度に対応する比較レベルを設定する。これは、例えば図３に図示した関係のデータテーブルをＲＯＭ等に予め記憶しておき、上記ステップＳ２にて測定した受信電界強度を読み出しアドレスとして、対応する比較レベルをデータテーブルから読み出す手法などを用いる。
【００３５】
次いで、ステップＳ４では、上記ステップＳ３にて設定した比較レベルと、携帯電話部の送信電力レベルとを比較する。制御部４０は、基地局側と通信制御するために通信用送信機３２の送信電力レベルを管理しているので、その送信電力レベルと比較レベルとを大小比較する。そして、送信電力レベルが比較レベルより小さければ、ステップＳ５に進み、テレビ受信アンテナＡＮＴ１とＴＶ受信機１３との間のフィルタ１１をバイパスさせるように入力切換えスイッチ１０および出力切換えスイッチ１２の経路切換えを行った後、本処理を終える。
【００３６】
一方、送信電力レベルが比較レベルより大きいと、ステップＳ６に進み、テレビ受信アンテナＡＮＴ１とＴＶ受信機１３との間にフィルタ１１を介挿するように入力切換えスイッチ１０および出力切換えスイッチ１２の経路切換えを行った後、本処理を終える。これにより、携帯電話部の送信出力による感度抑圧に起因する視聴品質劣化を回避でき、しかも前述した第１および第２実施形態が備えるフィルタ制御部（方向性結合器２０、検波器２１、比較器２２および基準電圧源２３）を省略できる為、コストダウンを図ることも出来る。
【図面の簡単な説明】
【００３７】
【図１】本発明の第１実施形態の構成を示すブロック図である。
【図２】フィルタ１１およびデュプレクサ２０の周波数特性を示す図である。
【図３】受信電界強度と比較レベルとの関係を示すグラフである。
【図４】フィルタ１１の有無で変化する受信機感度特性を示す図である。
【図５】フィルタ制御部の動作を説明するための図である。
【図６】本発明の第２実施形態の構成を示すブロック図である。
【図７】本発明の第３実施形態の構成を示すブロック図である。
【図８】フィルタ制御処理の動作を示すフローチャートである。
【符号の説明】
【００３８】
１０  入力切換えスイッチ
１１  フィルタ
１２  出力切換えスイッチ
１３  ＴＶ受信機
２０  方向性結合器
２１  検波器
２２  比較器
２３  基準電圧源
３０  デュプレクサ
３１  通信用受信機
３２  通信用送信機
４０  制御回路
５０  信号処理回路
６０  ディスプレイ
６１  スピーカ
６２  キーパッド
６３  マイク
６４  レシーバ
【図１】
2007060077.tif 000003
【図２】
2007060077.tif 000004
【図３】
2007060077.tif 000005
【図４】
2007060077.tif 000006
【図５】
2007060077.tif 000007
【図６】
2007060077.tif 000008
【図７】
2007060077.tif 000009
【図８】
2007060077.tif 000010
【手続補正書】
【提出日】平成18年7月18日(2006.7.18)
【手続補正１】
【補正対象書類名】特許請求の範囲
【補正対象項目名】全文
【補正方法】変更
【補正の内容】
【特許請求の範囲】
【請求項１】
アンテナを含む受信経路を経て入力される放送信号を受信する放送受信手段と無線信号を送受信する通信手段とを備える通信端末装置において、
前記放送受信手段によって受信された放送信号を通過させるフィルタ手段と、
前記通信手段から送信される無線信号の送信電力が、前記放送受信手段に対し感度抑圧を引き起こすか否を判定する判定手段と、
前記判定手段により感度抑圧を引き起こすと判定された場合に、前記放送受信手段の受信経路に前記フィルタ手段を介挿させるフィルタ制御手段と
を具備することを特徴とする通信端末装置。
【請求項２】
前記判定手段は、
前記通信手段が送信する無線信号の送信電力を検出し、当該送信電力を表す送信出力レベルを発生する送信電力検出手段と、
前記放送受信手段が受信する放送信号の受信電界強度を検出し、当該受信電界強度を表す比較レベルを発生する電界強度検出手段とを備え、
前記送信電力検出手段により生成される送信出力レベルが、前記電界強度検出手段により生成される比較レベルを超えた場合に、前記放送受信手段に感度抑圧を引き起こすと判定することを特徴とする請求項１記載の通信端末装置。
【請求項３】
前記フィルタ制御手段は、
前記放送受信手段の受信経路に設けられた第１および第２の経路切換え手段と、
前記判定手段により感度抑圧を引き起こすと判定された場合には、前記フィルタ手段を受信経路に介挿させる経路切換えを前記第１および第２の経路切換え手段に指示し、一方、前記判定手段により感度抑圧を引き起こすと判定されなかった場合には、前記フィルタ手段を受信経路からバイパスさせる経路切換えを前記第１および第２の経路切換え手段に指示する指示手段と
を具備することを特徴とする請求項１記載の通信端末装置。
【請求項４】
前記送信電力検出手段は、前記通信手段の送信経路に設けた方向性結合器にて無線信号を抽出し、抽出した無線信号を検波して送信電力を表す送信出力レベルを発生することを特徴とする請求項２記載の通信端末装置。
【請求項５】
前記送信電力検出手段は、前記放送受信手段の受信経路に設けた方向性結合器にて無線信号を抽出し、抽出した無線信号を検波して送信電力を表す送信出力レベルを発生することを特徴とする請求項２記載の通信端末装置。
【請求項６】
アンテナを含む受信経路を経て入力される放送信号を受信する放送受信部と無線信号を送受信する通信部とを備える電子機器の通信制御方法であって、
前記放送受信部にて受信された放送信号を通過させるフィルタリングステップと、
前記通信部から送信される無線信号の送信電力が、前記放送受信部に対し感度抑圧を引き起こすか否を判定する判定ステップと、
前記判定ステップにて感度抑圧を引き起こすと判定された場合に、前記放送受信部の受信経路に前記フィルタステップを介挿させるフィルタ制御ステップと
からなることを特徴とする通信制御方法。
【請求項７】
コンピュータに、
通信部が送信する無線信号の送信電力を検出し、当該送信電力を表す送信出力レベルを発生する送信電力検出手段、
放送受信部が受信する放送信号の受信電界強度を検出し、当該受信電界強度を表す比較レベルを発生する電界強度検出手段、
前記送信電力検出手段によって生成される送信出力レベルが、前記電界強度検出手段で生成される比較レベルを超えた場合に、放送信号を通過させるフィルタを、前記放送受信部の受信経路に介挿させるフィルタ制御手段
として機能させることを特徴とする通信制御プログラム。
【手続補正２】
【補正対象書類名】明細書
【補正対象項目名】０００７
【補正方法】変更
【補正の内容】
【０００７】
上記目的を達成するため、請求項１に記載の発明では、アンテナを含む受信経路を経て入力される放送信号を受信する放送受信手段と無線信号を送受信する通信手段とを備える通信端末装置において、
前記放送受信手段によって受信された放送信号を通過させるフィルタ手段と、
前記通信手段から送信される無線信号の送信電力が、前記放送受信手段に対し感度抑圧を引き起こすか否を判定する判定手段と、
前記判定手段により感度抑圧を引き起こすと判定された場合に、前記放送受信手段の受信経路に前記フィルタ手段を介挿させるフィルタ制御手段と
を具備することを特徴とする。
【手続補正３】
【補正対象書類名】明細書
【補正対象項目名】００１２
【補正方法】変更
【補正の内容】
【００１２】
請求項６に記載の発明では、アンテナを含む受信経路を経て入力される放送信号を受信する放送受信部と無線信号を送受信する通信部とを備える電子機器の通信制御方法であって、
前記放送受信部にて受信された放送信号を通過させるフィルタリングステップと、
前記通信部から送信される無線信号の送信電力が、前記放送受信部に対し感度抑圧を引き起こすか否を判定する判定ステップと、
前記判定ステップにて感度抑圧を引き起こすと判定された場合に、前記放送受信部の受信経路に前記フィルタステップを介挿させるフィルタ制御ステップとからなることを特徴とする。
【手続補正４】
【補正対象書類名】明細書
【補正対象項目名】００１３
【補正方法】変更
【補正の内容】
【００１３】
請求項７に記載の発明では、コンピュータに、
通信部が送信する無線信号の送信電力を検出し、当該送信電力を表す送信出力レベルを発生する送信電力検出手段、
放送受信部が受信する放送信号の受信電界強度を検出し、当該受信電界強度を表す比較レベルを発生する電界強度検出手段、
前記送信電力検出手段によって生成される送信出力レベルが、前記電界強度検出手段で生成される比較レベルを超えた場合に、放送信号を通過させるフィルタを、前記放送受信部の受信経路に介挿させるフィルタ制御手段として機能させることを特徴とする。
【手続補正５】
【補正対象書類名】明細書
【補正対象項目名】００１４
【補正方法】変更
【補正の内容】
【００１４】
請求項１に記載の発明によれば、無線信号を送受信する通信手段から送信される無線信号の送信電力が、アンテナを含む受信経路を経て入力される放送信号を受信する放送受信手段に感度抑圧を引き起こすか否を判定し、感度抑圧を引き起こすと判定された場合に、放送信号を通過させるフィルタ手段を前記放送受信手段の受信経路に介挿させるので、感度抑圧に起因した視聴品質劣化を防止することができる。
【手続補正６】
【補正対象書類名】明細書
【補正対象項目名】００１５
【補正方法】変更
【補正の内容】
【００１５】
請求項６に記載の発明によれば、フィルタリングステップが放送受信部にて受信された放送信号を通過させ、判定ステップが前記通信部から送信される無線信号の送信電力が前記放送受信部に対し感度抑圧を引き起こすか否を判定し、感度抑圧を引き起こすと判定された場合に、フィルタ制御ステップが前記放送受信部の受信経路に前記フィルタステップを介挿させるので、感度抑圧に起因した視聴品質劣化を防止することができる。
【手続補正７】
【補正対象書類名】明細書
【補正対象項目名】００１６
【補正方法】変更
【補正の内容】
【００１６】
請求項７に記載の発明によれば、通信部が送信する無線信号の送信電力を検出して当該送信電力を表す送信出力レベルと、放送受信部が受信する放送信号の受信電界強度を検出して当該受信電界強度を表す比較レベルとを発生し、送信出力レベルが比較レベルを超えた場合に、放送信号を通過させるフィルタを、放送受信部の受信経路に介挿させるようコンピュータに機能させるので、感度抑圧に起因した視聴品質劣化を防止することができる。